(57)【要約】      （修正有）【課題】吊り下げ用フックとしての使用およびクリップとしての使用のいずれにも対応可能なハンガー部材を備えた筆記具用ケースを提供する。【解決手段】ケース本体１が、一端を開口した収納ケース主体２と前記開口を開閉自在に覆う蓋体３とからなる筆記具用ケースであって、前記ケース本体１に吊り下げ用孔５を設けたハンガー部材４を、支軸を中心として回動自在に取り付けた。また、前記支軸の係合部分に前記ハンガー部材４を所定回動位置で位置決め固定するための固定手段を設けた。また、前記ハンガー部材４にはクリップ６が更に設けられているものとすることも好ましい。【選択図】図１
2019136372.tif 000002
【特許請求の範囲】
【請求項１】
ケース本体が、一端を開口した収納ケース主体と前記開口を開閉自在に覆う蓋体とからなる筆記具用ケースであって、前記ケース本体に吊り下げ用孔を設けたハンガー部材を、支軸を中心として回動自在に取り付け、また前記支軸の係合部分に前記ハンガー部材を所定回動位置で位置決め固定するための固定手段を設けたことを特徴とする筆記具用ケース。
【請求項２】
前記ハンガー部材にはクリップが更に設けられており、ハンガー部材の一端側には吊り下げ用孔が設けられ、他端側表面には前記クリップが設けられている請求項１に記載の筆記具用ケース。
【請求項３】
ハンガー部材の裏面には、ケース本体に設けられた係止孔に係合する円筒状の支軸が突設されており、この支軸の筒壁には軸方向にスリット溝が形成されて縮径可能な構造となっている請求項１または２に記載の筆記具用ケース。
【請求項４】
固定手段が支軸側に設けられた凸部と、係止孔側に設けられた凹部とが係合する構造となっている請求項３に記載の筆記具用ケース。
【請求項５】
係止孔は支軸回動用孔部と支軸固定用孔部が連通して形成されており、固定手段が前記支軸固定用孔部に支軸が係合する構造となっている請求項３に記載の筆記具用ケース。
【発明の詳細な説明】
【技術分野】
【０００１】
本発明は、ボールペン等の筆記具を入れる筆記具用ケースであって、吊り下げ用フックとしての使用およびクリップとしての使用のいずれにも対応可能なハンガー部材を備えた筆記具用ケースに関するものである。
【背景技術】
【０００２】
従来から、一端を開口した収納ケース主体と前記開口を開閉自在に覆う蓋体とからなる合成樹脂製の筆記具用ケースが広く知られている。また、筆記具用ケースの背面側に薄型のハンガーを回転可能に配備し、前記ハンガーに形成した引っ掛け孔を利用して筆記具用ケースを壁等に掛けて保管できるようにしたものも提案されている（例えば、特許文献１を参照）。
【０００３】
しかしながら、特許文献１に記載のものでは、前記薄型のハンガーが常に回転自在なため、筆記具用ケースを壁等に掛けておいた場合に不用意にケースが搖動するという問題があった。また、壁にピン等の突起物がないと引っ掛け孔を利用して掛けることができないという問題点もあった。
【０００４】
そこで、引っ掛け孔を利用して掛けるだけでなくクリップ形式でいろいろな場所に簡単に固定することができ、しかも、吊り下げ用フックかクリップのいずれの固定手段の場合でもケースの搖動を防止してしっかりと固定することができる新たなハンガーの開発が要望されていた。
【先行技術文献】
【特許文献】
【０００５】
【特許文献１】実用新案登録第３０９２９６４号公報
【発明の概要】
【発明が解決しようとする課題】
【０００６】
本発明は上記のような従来の問題点を解決して、ボールペン等の筆記具を入れる筆記具用ケースにおいて、吊り下げ用フックを利用して固定することも、あるいはクリップを利用して固定することも可能であり、また、吊り下げ用フックかクリップのいずれを利用するかの選択を簡単に行うことができ、しかも、いずれの固定の場合もケースが搖動しないように確実に固定することができる筆記具用ケースを提供することを目的とするものである。
【課題を解決するための手段】
【０００７】
上記課題を解決するためになされた本発明の筆記具用ケースは、ケース本体が、一端を開口した収納ケース主体と前記開口を開閉自在に覆う蓋体とからなる筆記具用ケースであって、前記ケース本体に吊り下げ用孔を設けたハンガー部材を、支軸を中心として回動自在に取り付け、また前記支軸の係合部分に前記ハンガー部材を所定回動位置で位置決め固定するための固定手段を設けたことを特徴とするものであり、これを請求項１に係る発明とする。
【０００８】
好ましい実施形態によれば、前記ハンガー部材にはクリップが更に設けられており、ハンガー部材の一端側には吊り下げ用孔が設けられ、他端側表面には前記クリップが設けられているものが好ましく、これを請求項２に係る発明とする。
【０００９】
また、その他の好ましい実施形態によれば、ハンガー部材の裏面には、ケース本体に設けられた係止孔に係合する円筒状の支軸が突設されており、この支軸の筒壁には軸方向にスリット溝が形成されて縮径可能な構造となっているものが好ましく、これを請求項３に係る発明とする。
【００１０】
また、その他の好ましい実施形態によれば、前記固定手段が、支軸側に設けられた凸部と、係止孔側に設けられた凹部とが係合する構造となっているものが好ましく、これを請求項４に係る発明とする。
【００１１】
また、その他の好ましい実施形態によれば、前記係止孔は支軸回動用孔部と支軸固定用孔部が連通して形成されており、固定手段が前記支軸固定用孔部に支軸が係合する構造となっているものが好ましく、これを請求項５に係る発明とする。
【発明の効果】
【００１２】
請求項１に係る発明では、ケース本体に吊り下げ用孔を設けたハンガー部材を、支軸を中心として回動自在に取り付け、また前記支軸の係合部分に前記ハンガー部材を所定回動位置で位置決め固定するための固定手段を設けたので、前記吊り下げ用孔を使用する際には、ケース本体を搖動させずにしっかりと固定することができ、未使用時にはハンガー部材を回動させ、ケース本体からはみ出さない位置でしっかりと固定することができる為、ケースの携帯時等にハンガー部材が邪魔になる事はない。
【００１３】
また、請求項２に係る発明では、前記ハンガー部材にはクリップが更に設けられており、前記ハンガー部材の一端側には吊り下げ用孔が設けられ、他端側表面には前記クリップが設けられているものとしたので、状況に応じて吊り下げ用孔とクリップの使用を自由に選択することができ、ハンガー部材を回動するだけで吊り下げ用孔とクリップの選択を行うことができる。
【００１４】
また、請求項３に係る発明では、前記ハンガー部材の裏面には、ケース本体に設けられた係止孔に係合する円筒状の支軸が突設されており、この支軸の筒壁には軸方向にスリット溝が形成されて縮径可能な構造となっているものとしたので、ハンガー部材をケース本体に簡単に組み付けることができる。
【００１５】
また、請求項４に係る発明では、前記固定手段が、支軸側に設けられた凸部と、係止孔側に設けられた凹部とが係合する構造となっているものとしたので、凹凸部の係合により吊り下げ用孔あるいはクリップの使用位置でケースをしっかりと位置決め固定することができる。
【００１６】
また、請求項５に係る発明では、前記係止孔は支軸回動用孔部と支軸固定用孔部が連通して形成されており、固定手段が前記支軸固定用孔部に支軸が係合する構造となっているものとしたので、支軸と支軸固定用孔部の係合により吊り下げ用孔あるいはクリップの使用位置でケースをしっかりと位置決め固定することができる。
【図面の簡単な説明】
【００１７】
【図１】本発明の実施例で吊り下げ用孔を使用する形態を示す全体斜視図である。
【図２】本発明の実施例でクリップを使用する形態を示す全体斜視図である。
【図３】ケース本体とハンガー部材を示す分解斜視図である。
【図４】実施例の固定手段を示し、(a)は支軸の斜視図、(b)は係止孔の斜視図である。
【図５】(a)は図４の支軸の断面図、(b)はＡ−Ａ断面図である。
【図６】その他の固定手段を示し、(a)は支軸の斜視図、(b)は係止孔の斜視図である。
【図７】(a)は図６の支軸の断面図、(b)はＢ−Ｂ断面図である。
【図８】その他の固定手段を示し、(a)は支軸の斜視図、(b)は係止孔の斜視図である。
【図９】(a)は図８の支軸の断面図、(b)はＣ−Ｃ断面図である。
【図１０】その他の固定手段を示し、(a)は支軸の斜視図、(b)は係止孔の斜視図である。
【図１１】(a)は図１０の支軸が固定されていない状態の断面図、(b)は支軸が固定された状態の断面図である。
【図１２】その他の固定手段を示し、(a)は支軸の斜視図、(b)は係止孔の斜視図である。
【図１３】(a)は図１２の支軸が固定されていない状態の断面図、(b)は支軸が固定された状態の断面図である。
【発明を実施するための形態】
【００１８】
以下に、図面を参照しつつ本発明の好ましい実施の形態を示す。
図１は本発明の実施例で吊り下げ用孔を使用する形態を示す全体斜視図であり、図２はクリップを使用する形態を示す全体斜視図である。また、図３はケース本体とハンガー部材を示す分解斜視図である。図において、１は合成樹脂製のケース本体、２は一端を開口した収納ケース主体、３は前記開口を開閉自在に覆う蓋体であり、以上の構成は従来の物と基本的に同じである。
【００１９】
図３に示されるように、前記ケース本体１の背面には、吊り下げ用孔５とクリップ６を設けた薄板状のハンガー部材４が、支軸７を中心として吊り下げ用孔５の使用位置またはクリップ６の使用位置へ自在に回動できるように取り付けられている。このハンガー部材４の一端側には吊り下げ用孔５が設けられており、他端側表面にはクリップ６が設けられている。
この結果、吊り下げ用孔を使用する形態（図１を参照）と、クリップを使用する形態（図２を参照）を自由に選択することができる構造となっている。
【００２０】
前記支軸７は、円筒状のものでハンガー部材４の裏面に突出するように設けられている。一方、ケース本体１の背面（図示のものでは、蓋体３の裏面）には係止孔８が設けられていて、この係止孔８に前記支軸７が係合することでハンガー部材４がこの支軸７を中心に回動自在となるよう構成されている。前記係止孔８は、ケース本体１の短辺及び長辺近傍の背面にそれぞれ２箇所設けられている。
【００２１】
また前記支軸７の係合部分には、前記ハンガー部材４を吊り下げ用孔５の使用位置およびクリップ６の各使用位置で位置決め固定するための固定手段が設けられている。
この固定手段には種々のパターンがあるので、以下、図４〜図１３を参照にして説明する。
【００２２】
前記固定手段としては、大別して、支軸側に設けられた凸部と、係止孔側に設けられた凹部とが係合する構造（第１の構造：図４〜図９を参照）と、支軸回動用孔部と支軸固定用孔部が連通して形成されており、固定手段が前記支軸固定用孔部に支軸が係合する構造（第２の構造：図１０〜図１３を参照）の二つのパターンがある。
【００２３】
前記図４〜図５に、第１の構造の一例を示す。
図４(a)に示されるように、ハンガー部材４の裏面には、円筒状の支軸７が突設されている。この支軸は、図４(b)に示されるように、ケース本体１（図示の場合は、蓋体３）の背面に設けられた係止孔８に係合するものである。前記係止孔８は、ケース本体１の短辺及び長辺近傍の背面にそれぞれ２箇所設けられている為、ケース本体を陳列するスペースによってハンガー部材を付け替えることが可能である。また、前記支軸７の筒壁には軸方向にスリット溝７ａが形成されて縮径可能な構造となっており、前記係止孔８へ挿入する際にはスリット溝７ａが狭まって縮径し容易に係合できるようになっている。また、係合後はスリット溝７ａが復元して拡径したうえ、鍔部７ｂが係止孔８の周縁に引っ掛かることで離脱しない構造となっている。
【００２４】
また、図５に示されるように、前記支軸７側には２個の凸部９が設けられ、一方、係止孔８側には２個の凹部１０が設けられていて、これら凹凸部９、１０が係合することによりハンガー部材４の回動ができないように規制され位置決め固定される構造となっている。この結果、ハンガー部材４を吊り下げ用孔およびクリップの各使用位置で確実に位置決め固定できることとなる。なお、図４〜図５に示すものでは、係止孔８の内径が凹部１０を設けた時の内径とほぼ等しくなっており、スリット溝７ａを狭めることなくハンガー部材４の回動を行えるので摩擦がなく円滑に操作することができ、更にハンガー部材と係止孔が摩耗することが無い為、耐久性に優れる。
【００２５】
図６〜図７は、固定手段のその他の構造を示すものである。
支軸７側に設けた２個の凸部９と、係止孔８側に設けた２個の凹部１０とを係合することによりハンガー部材４の回動ができないように規制する構造は、図４〜図５に示す固定手段と基本的に同じである。図６〜図７に示すものでは、ハンガー部材４の回動を行う場合に、スリット溝７ａを押圧して狭めた状態となるので摩擦力は生じ、若干の抵抗感が残ることとなる。
【００２６】
図８〜図９は、固定手段のその他の構造を示すものである。
この場合は、支軸７の下端において外側に向けて放射状に２個の凸部１１が設けられ、一方、係止孔８の表面には２個の凹部１２が設けられていて、これら凹凸部１１、１２が係合することによりハンガー部材４の回動ができないように規制され位置決め固定される構造となっている。
なお、以上の凹凸部の形状、設置個数、設置場所等については任意に設計できることは勿論である。また前記固定手段は、図１、図２に示されるように、ハンガー部材４を吊り下げ用孔およびクリップの各使用位置（ハンガー部材４を、支軸７を中心に０°或いは１８０°回動させた位置）で固定できるように設けられているが、本実施例ではこれらに限定されず、ハンガー部材４を、支軸７を中心に９０°回動させた位置（吊り下げ用孔およびクリップの不使用位置）等、任意の位置で固定できるように構成してもよい。
【００２７】
次に、第２の構造の一例を示す。
図１０(a)に示されるものでは、ハンガー部材４の裏面に円筒状の支軸７が突設されている点は第１の構造と同じである。一方、図１０(b)に示されるように、ケース本体１の背面には支軸回動用孔部８ａと支軸固定用孔部８ｂを連通した係止孔８が形成されており、固定手段が前記支軸固定用孔部８ｂに支軸７が係合する構造となっている。
【００２８】
図１１(a)に示されるように、ハンガー部材４の回動時は支軸７が支軸回動用孔部８ａに係合して回動自在な状態となっている。一方、前記ハンガー部材４を吊り下げ用孔５およびクリップ６の使用位置で位置決め固定する場合は、図１１(b)に示されるように、支軸７を支軸固定用孔部８ｂ内へスライド移動させれば、廻り止め用突片１３がスリット溝７ａ内に挿入されて支軸７の回動が防止されることとなる。
また、支軸固定用孔部８ｂには落下防止用突起１４が突設されており、この落下防止用突起１４が支軸７を支えて下方への移動を規制することとなる。この結果、ハンガー部材４を吊り下げ用孔およびクリップの各使用位置で回動を防止し確実に位置決め固定できることとなる。
【００２９】
図１２〜図１３は、固定手段のその他の構造を示すものである。
図１２(a)に示されるように、円筒状の支軸７が突設されている点は前記のものと基本的に同じであるが、この例では軸部７に廻り止め用平面１５が形成してある。一方、図１２(b)に示されるように、ケース本体１の背面には支軸回動用孔部８ａと支軸固定用孔部８ｂを連通した係止孔８が形成されており、固定手段が前記支軸固定用孔部８ｂに支軸７が係合する構造である点も同じである。ただし、支軸固定用孔部８ｂには前記廻り止め用平面１５に対応する廻り止め用平面１６が形成してある。
【００３０】
図１３(a)に示されるように、ハンガー部材４の回動時は支軸７が支軸回動用孔部８ａに係合して回動自在な状態となっている。一方、前記ハンガー部材４を吊り下げ用孔５およびクリップ６の使用位置で位置決め固定する場合は、図１３(b)に示されるように、支軸７を支軸固定用孔部８ｂ内へスライド移動させれば、廻り止め用平面１５と廻り止め用平面１６が接して支軸７の回動が防止されることとなる。
また、支軸固定用孔部８ｂには落下防止用突起１７が突設されており、この落下防止用突起１７がスリット溝７ａに係合して支軸７を支え、下方への移動を規制することとなる。この結果、ハンガー部材４を吊り下げ用孔５およびクリップ６の各使用位置で回動を防止しつつ確実に位置決め固定できることとなる。
【００３１】
以上のように構成した筆記具用ケースでは、例えば、図１に示されるようにハンガー部材４の吊り下げ用孔５を使用する形態から、図２に示されるようにクリップ６を使用する形態に変更する場合、ハンガー部材４を支軸７を中心に１８０°回動してクリップ６を使用位置まで移動させるが、ハンガー部材４は支軸７を中心として回動自在に取り付けられているので、円滑に操作することができる。また、移動後は固定手段によって支軸７が係止孔８内へしっかりと固定されるので、ハンガー部材４がグラツクこともなくクリップ６の使用感も好ましいものとなる。更に、ハンガー部材４の吊り下げ用孔５を使用する形態に戻す場合は、ハンガー部材４を支軸７を中心に１８０°回動（あるいは反転）してクリップ６を使用位置まで移動させればよく、簡単かつ確実に行うことができる。
以上のように、本発明の筆記具用ケースでは、吊り下げ用フックを利用して固定することも、あるいはクリップを利用して固定することも可能であり、また、吊り下げ用フックかクリップのいずれを利用するかの選択を簡単に行うことができ、しかも、いずれの固定の場合もケースが搖動しないように確実に固定することができる。
【符号の説明】
【００３２】
１  ケース本体
２  収納ケース主体
３  蓋体
４  ハンガー部材
５  吊り下げ用孔
６  クリップ
７  支軸
７ａ  スリット溝
８  係止孔
９  凸部
１０  凹部
１１  凸部
１２  凹部
１３  廻り止め用突片
１４  落下防止用突起
１５  廻り止め用平面
１６  廻り止め用平面
１７  落下防止用突起
【図１】
2019136372.tif 000003
【図２】
2019136372.tif 000004
【図３】
2019136372.tif 000005
【図４】
2019136372.tif 000006
【図５】
2019136372.tif 000007
【図６】
2019136372.tif 000008
【図７】
2019136372.tif 000009
【図８】
2019136372.tif 000010
【図９】
2019136372.tif 000011
【図１０】
2019136372.tif 000012
【図１１】
2019136372.tif 000013
【図１２】
2019136372.tif 000014
【図１３】
2019136372.tif 000015